(57)【特許請求の範囲】
【請求項１】
一端側に開口部を有し、他端側に配管接続部を有する筒型の排水ホッパーを取付板に沿 わせた状態で係止した排水部材の取付構造であって、
前記排水ホッパーの他端側外周部に段差部が形成され、
前記取付板の一部に前記排水ホッパーの段差部に突き当て可能な係合片が突設され、   前記係合片を前記排水ホッパーの段差部に位置合わせして前記排水ホッパーが前記取付 板に沿わせられるとともに、
爪部を有した二股型の抑え板で前記排水ホッパーを挟むとともに前記抑え板の爪部を前記取付板に形成されたスリット孔に差し込んで前記排水ホッパーが前記取付板に係止され、前記排水ホッパーを前記取付板に沿わせた状態で前記排水ホッパーの開口部周縁を係止する鉤部が前記取付板に立設されたことを特徴とする排水部材の取付構造。
【請求項２】
前記係合片が、前記取付板に立設された起立片とこの起立片の先端側に形成されて前記 段差部に突き当て可能な凹部を有する先端片とからなることを特徴とする請求項１に記載の排水部材の取付構造。
【請求項３】
前記排水ホッパーの一端側に前記配管接続部よりも径の大きな大径部が形成され、前記 取付板に前記排水ホッパーを沿わせた状態で前記大径部を部分的に収容して前記大径部を 係合する貫通部が前記取付板に形成されたことを特徴とする請求項１または請求項２に記載の排水部材の取付構造。
【請求項４】
前記取付板がドレンホースの先端部に沿って垂下され、前記排水ホッパーの開口部に前 記ドレンホースの先端部が挿入されたことを特徴とする請求項１〜請求項３のいずれか一 項に記載の排水部材の取付構造。
【発明の詳細な説明】
【技術分野】
【０００１】
本発明は、給湯器に備え付ける排水部材の取付構造に関する。
【背景技術】
【０００２】
従来、電気温水器等の給湯装置には、配管内の圧力が上昇した場合に所定以上の圧力上昇を緩和するための逃し弁より導出される排水を排水口まで導くための排水部材が備えられている。この排水部材は、排水の目視確認(特許文献１参照)や逆流防止(特許文献２参照)のため、開放空間を設ける構成が知られており、この部分の構成は、一般的に排水ホッパー部と呼ばれている。
【０００３】
排水部材の取り付けについては、特許文献１の図２に示すように、給湯器の固定部に排水ホッパー部をネジ止め固定し、２か所の排水管を排水ホッパー部において１か所に集めて排水する構成や、特許文献２の図５に示すように、Ｌ字状のホッパー取付金具にホッパーを引っ掛けて取り付けることにより、容易に着脱可能となる構成が知られている。
【先行技術文献】
【特許文献】
【０００４】
【特許文献１】実公平７−０２０５１７号公報
【特許文献２】特開平８−１５２１９９号公報
【発明の概要】
【発明が解決しようとする課題】
【０００５】
近年、高効率化を図った潜熱回収型の給湯器が普及している。
潜熱回収型の給湯器では燃焼ガスの潜熱回収がなされると、燃焼ガス中の水蒸気が凝縮してドレン水が発生する。このドレン水は燃焼ガスに含まれる酸化物質等を含むため強酸性となる。そこで、回収されたドレン水は中和剤を充填した中和容器により中和され、給湯器の外へ排水される。給湯器の外へ排水されたドレン水は、給湯器の外に現地に合わせて設置されるドレン配管によって排水口や雨水マス等へ排水される。
この種の給湯器においてドレン水は排水ポンプなどの動力により排水される訳ではなく、排水勾配を利用した自然排水により排出される構成が一般的であり、そのためドレン配管は鳥居配管によるトラップや横引き配管を設けることなく、下り勾配とする必要がある。
【０００６】
特に、屋内に設置される潜熱回収型の給湯器においては、屋内に設置されている台所の排水口や洗面台まで壁等を伝ってドレン配管を引き回す作業が必要となり、ドレン配管の施工性向上が望まれていた。
【０００７】
本発明は、上記従来の問題点に鑑みてなされたものであって、ネジ止めすることなく取付板に取り付けることが可能であり、取付後も回転自在であって、配管接続後の配管位置調整が可能となる排水部材の取付構造の提供を目的とする。
【課題を解決するための手段】
【０００８】
本発明は、前記課題を解決する手段として、以下の構成を有する。
（１）本発明は、一端側に開口部を有し、他端側に配管接続部を有する筒型の排水ホッパ ーを取付板に沿わせた状態で係止した排水部材の取付構造であって、前記排水ホッパーの 他端側外周部に段差部が形成され、前記取付板の一部に前記排水ホッパーの段差部に突き 当て可能な係合片が突設され、前記係合片を前記排水ホッパーの段差部に位置合わせして 前記排水ホッパーが前記取付板に沿わせられるとともに、爪部を有した二股型の抑え板で 前記排水ホッパーを挟むとともに前記抑え板の爪部を前記取付板に形成されたスリット孔 に差し込んで前記排水ホッパーが前記取付板に係止され、前記排水ホッパーを前記取付板に沿わせた状態で前記排水ホッパーの開口部周縁を係止する鉤部が前記取付板に立設されたことを特徴とする。
【０００９】
（２）本発明において、前記係合片が前記取付板に立設された起立片とこの起立片の先端 側に形成されて前記段差部に突き当て可能な凹部を有する先端片とからなる構成を採用で きる。
（３）本発明において、前記排水ホッパーの一端側に前記配管接続部よりも径の大きな大 径部が形成され、前記取付板に前記排水ホッパーを沿わせた状態で前記大径部を部分的に 収容して前記大径部を係合する貫通部が前記取付板に形成された構成を採用できる。
（４）本発明において、前記取付板がドレンホースの先端部に沿って垂下され、前記排水 ホッパーの開口部に前記ドレンホースの先端部が挿入された構成を採用できる。
【発明の効果】
【００１０】
本発明によれば、筒型の排水ホッパーを取付板と抑え板により略固定することにより、ネジ止めすることなく排水ホッパーの取り付けが可能であり、取付板への取り付け後も排水ホッパーが回転自在となるので、排水ホッパー下流側の配管施工時に排水ホッパーを取り外すことなく施工することができる。
また、取付板の一側に排水ホッパーの開口部周縁と係合する鉤部を備え、取付板の他側に排水ホッパーの段差部に突き当て可能な係合片を備えた場合、取付板の鉤部が排水ホッパーの上部係合部となり、取付板の係合片が排水ホッパーの下部係合部となるので、排水ホッパーの上部と下部で仮固定を可能とすることで、排水ホッパーの安定した仮固定による施工性のさらなる向上を図ることができる。取付板に仮固定した排水ホッパーを抑え板で挟んで抑え板の爪部を取付板に係止することで、排水ホッパーを取付板に確実に固定できる。
【００１１】
さらに、排水ホッパーの大径部を取付板の開口部に収容し、取付板の鉤部により係止することによって、排水ホッパーの開口部側の内径を配管接続部側よりも大きくすることが可能となり、ドレンホースからのドレン水だけでなく、給水、給湯継手の水抜き栓からの排水を排水ホッパーにより受けることが可能となる。
取付板をドレンホースの先端部に沿って垂下することで、排水ホッパーの開口部にドレンホースの先端部を挿入できるようになり、ドレン水を排水ホッパーを介し配管側に排出できる構成を実現できる。
【図面の簡単な説明】
【００１２】
【図１】本発明に係わる壁貫通型燃焼機器の動作原理図である。
【図２】本発明に係わる壁貫通型燃焼機器の設置図であり、（Ａ）は正面図、（Ｂ）は側 断面図、（Ｃ）は給湯配管の接続先の一例を示す給水栓まわりの構成図である。
【図３】（Ａ）は本発明に係わる排水ホッパーを壁貫通型燃焼機器に取り付けた状態の一 例を示す正面図、（Ｂ）は壁部に対する設置状態を示す断面図である。
【図４】本発明の第１実施形態の排水ホッパーを示すもので、（Ａ）は側面図、（Ｂ）は 縦断面図、（Ｃ）は平面図、（Ｄ）は底面図である。
【図５】本発明の第２実施形態の排水ホッパーを示すもので、（Ａ）は側面図、（Ｂ）は 縦断面図、（Ｃ）は平面図、（Ｄ）は底面図である。
【図６】本発明の第１形態である取付板を示し、（Ａ）は正面図、（Ｂ）は側面図、 （Ｃ）は斜視図、（Ｄ）は平面図、（Ｅ）は底面図である。
【図７】本発明の第１実施形態である抑え板を示すもので、（Ａ）は斜視図、（Ｂ）は平 面図、（Ｃ）は右側面図、（Ｄ）は取付板との嵌合図である。
【図８】本発明の第２実施形態である取付板を示し、（Ａ）は正面図、（Ｂ）は排水ホッ パーを取り付けた状態を示す側面図である。
【図９】本発明の第３実施形態である取付板と排水ホッパーを示し、（Ａ）は取付板の正 面図、（Ｂ）は取付板の側面図、（Ｃ）は取付板の斜視図、（Ｄ）は取付板の平面図、（ Ｅ）は排水ホッパーの側面図、（Ｆ）は排水ホッパーの平面図、（Ｇ）は排水ホッパーの 底面図である。
【図１０】本発明の第３実施形態である取付板と排水ホッパーの組み立て構造を示し、（ Ａ）は正面図、（Ｂ）は側面図、（Ｃ）は（Ａ）のＡＡ線に沿う矢視図である。
【図１１】第３実施形態の排水ホッパーの壁貫通型燃焼機器への取付説明図であり、（Ａ ）は取付板に対し排水ホッパーを装着する直前の状態を示す斜視図、（Ｂ）は取付板に排 水ホッパーを仮固定し抑え板を装着する直前の状態を示す斜視図、（Ｃ）は完成状態を示 す斜視図である。
【図１２】本発明に係る排水ホッパーにドレンホースとその他の水抜きホースを接続した 設置例を示す斜視図である。
【図１３】本発明に係る排水ホッパーを台所に設置した壁貫通型燃焼機器に設けた一例を 示す取付図である。
【発明を実施するための形態】
【００１３】
以下、本発明に係る実施形態について図面に基づいて説明する。
図１は本発明に係る排水ホッパーと取付板を設ける対象とする燃焼機器の一例構造を示すもので、この実施形態に係る燃焼機器１は、壁貫通型燃焼機器の給湯専用器として使用することができる。
壁貫通型燃焼機器とは、主に集合住宅用に設置され、浴槽横に設置されるバランス式ふろ釜（以下、「ＢＦ釜」と言う。）の取替え用として、浴室壁面に開口されたＢＦ釜の給排気筒設置部にＢＦ釜の機能を全て移管した燃焼機器である。（以下、「壁貫通型燃焼機器」と言う。）
【００１４】
図１に基づいて、本発明に使用する燃焼機器１の動作原理を説明する。
まず、給湯機能における湯水の流れについて説明する。
湯水が燃焼機器１の給水配管接続部２から給水され、水量センサ３によって、この湯水が所定の流量に達したか否かが検知される。水量センサ３を通った湯水は、潜熱回収熱交換器４に導かれ、この潜熱回収熱交換器４で排気ガスから潜熱を回収する。この潜熱を回収した湯水は、給湯一次熱交換器５に導かれ、この給湯一次熱交換器５で燃焼ガスからの顕熱を回収する。この顕熱を回収した湯水は、湯水を台所や浴室内に供給する本体外部給湯配管１７（図２（Ａ）、（Ｃ）参照）を接続する給湯配管接続部６を通り、給湯栓１９から使用される。
【００１５】
次に、燃料ガスの流れについて説明する。
給湯機能において、燃料ガスは、ガス配管接続部７から給湯ガス電磁弁８を経由して、給湯燃焼部９へ供給されて燃焼し、高温の燃焼ガスを発生させる。その燃焼ガスは、まず、給湯一次熱交換器５を通過し、その際に顕熱を放熱する。顕熱を放熱した後の低温の燃焼ガスは排気ガスとなる。次に、この排気ガスは潜熱回収熱交換器４を通過し、その際に潜熱を放熱する。そして、潜熱を放熱した排気ガスは、排気口１０から器具外へ排気される。前記燃焼を行うための燃焼用空気は、燃焼機器１の屋外側下部に形成されている吸気口を用いて、屋外から器具本体内に吸気され、ファンによって給湯燃焼部９に供給される。
【００１６】
次に、ドレン水１１の流れについて説明する。
潜熱回収熱交換器４で発生したこのドレン水１１は、ドレン配管１２を通った後、粒状の炭酸カルシウムである中和剤１３を充填した中和容器１４にて中和され、ｐＨ７程度となり、ドレンホース１５より燃焼機器１の外部に排水される。
【００１７】
図２は、燃焼機器１を壁貫通型燃焼機器として台所近傍の居室に設置したときの設置例を示す図である。図２（Ｂ）に示すように壁Ｗを貫通するように燃焼機器１が設置されている。
燃焼機器１の特徴として、給水、給湯、ガス等の配管類がすべて屋内で完結される。これらの配管は、壁貫通型燃焼機器に水を供給する本体外部給水配管１６と、壁貫通型燃焼機器で加熱された湯を台所や浴室内に供給する本体外部給湯配管１７と、壁貫通型燃焼機器に燃料を供給する本体外部ガス配管１８とからなる。
【００１８】
さらに、燃焼機器１は潜熱回収型給湯器であるため、使用時にドレン水１１が機器外部に排出される。排出されたドレン水を屋内の排水口に導く配管として図２（Ａ）に示す外部ドレン配管２０の設置が必要となる。屋内の排水口は台所のシンクや洗面台、洗濯機の排水パン等があり、それらに対し壁伝いに配管を引き回す施工を現地に合わせて実施する。
【００１９】
壁貫通型燃焼機器１は、前述したように浴室内に設置される場合が有り、ドレン水１１を浴室内に直接排水可能となるため、燃焼機器１におけるドレン水１１を機器外に排出する構成は中和器１４から燃焼機器１内部を引き回した軟質ホース状のドレンホース１５を直接機器外まで延長した仕様としている。
【００２０】
図３に、本実施形態における排水部材の設置例を示す。
排水部材の部品構成は、ドレン水１１等を受けて、外部ドレン配管２０に導く筒型の排水ホッパー２３と、燃焼機器１にネジ固定され排水ホッパー２３の位置を略固定する取付板２４と、取付板２４から排水ホッパー２３の離脱を防止する二股型の抑え板２５とからなる。
外部ドレン配管２０は壁近傍を伝って設置されるため、排水ホッパー２３についても可能な限り壁に近接し配置することが望ましい。そのため、取付板２４は燃焼機器１が設置される壁Ｗに沿うように配置されている。
【００２１】
図４に本実施形態における排水ホッパー２３の構造図を示す。
図４（Ａ）に示す起立状態の排水ホッパー２３は、円筒形状であり、上部と下部の内径が異なり、下部内径よりも上部内径が大きく形成されており、ドレンホース１５を上部側円筒内部に配置しやすくすると共に、大気開放空間を設けることでドレン水１１の排水信頼性を向上させる構造とされている。
排水ホッパー２３は、異形ソケット部２３Ａと直管部２３Ｂと配管接続部２３Ｃとからなる。異形ソケット部２３Ａは、大径部２３ａと首部２３ｂと胴部２３ｄからなる。直管部２３Ｂは胴部２３ｄの内側に挿入一体化され、胴部２３ｄの下端部から下方に突出されている。胴部２３ｄの下端側には胴部２３ｄの下方に延出された直管部２３Ｂに外挿するように筒型の配管接続部２３Ｃが一体化されている。また、胴部２３ｄの下端部と配管接続部２３Ｃの上端部との間に若干の隙間が空けられていて、この隙間部分に段差部２３ｅを有する周溝２３ｆが形成されている。
【００２２】
具体的に、図４（Ａ）、（Ｂ）に示すように大径部２３ａを上向き、配管接続部２３Ｃを下向きとして起立させた状態では、排水ホッパー２３の下部の内径（直管部２３Ｂの内径：φ１）がドレンホース１５の内径と同等の１３ｍｍに対し、排水ホッパー２３上部側の内径（大径部２３ａの内径：φ２）が２７ｍｍであり、約２倍以上の内径比とすることができるが、内径の比率を限定するものではない。
排水ホッパー２３の下部側には高さ方向Ｌ１が約２ｍｍの段差部２３ｅを有する周溝２３ｆが形成され、外部ドレン配管２０との接続部である配管接続部２３Ｃの先端部には、ネジ接続が可能なオスネジ加工が施されている。
【００２３】
本第１実施形態の排水ホッパー２３は、前記構成を３部品の汎用ポリ塩化ビニル配管(部品１：異径ソケット、部品２：直管、部品３：バルブ用ソケット（配管接続部）)を接着することにより実現することができるが、一体の成形品として製作することも可能である。また、図５に示すように、下端を直管仕様とした構成においても段差部２３ｅを有していれば、本発明品としての作用効果を得ることが出来、部品点数を少なくすることも可能となる。
【００２４】
前記排水ホッパー２３を燃焼機器１に取付けるための構成を以下に説明する。
図６に本形態の取付板２４の構造図を示す。
取付板２４は、図６（Ａ）に示すように正面視縦長の長方形状の板材からなり、その下 部側に前記排水ホッパー２３に設けられた段差部２３ｅの細い外径（φ３）に嵌合可能な 係合片２７と、後述する抑え板２５の爪部を挿入するためのスリット孔２９ａを左右両側 に備えた貫通部２９が形成されている。一例として係合片２７は、長方形状の取付板２４ の下部側の一部を切り起こすことで形成されている。貫通部２９は、その両側に縦長のス リット孔２９ａを備え、このスリット孔２９ａの上端側は貫通部２９よりも若干上方まで 延在され、下端側は係合片２７の左右両端部より若干下側まで延在されている。よって、 スリット孔２９ａにおいて貫通部２９の左右両側の上方位置に縦長の上部スリット２９ｂ が形成され、貫通部２９の左右両側の下方位置に係合片２７の両側に位置するように短い 下部スリット２９ｃが形成されている。
【００２５】
係合片２７は取付板２４の一部を切り起こして形成した起立片２７Ａを有し、その先端部には、前記周溝２３ｆの細い外径（φ３：約１８ｍｍ）に対し、嵌合可能な同等径の半円状の凹部２７ａを備えた先端片２７Ｂが形成されている。また、本実施形態の取付板２４は、厚み１ｍｍ未満の薄板加工品であるが、同様の部位が備わっていれば材質、加工方法は限定しない。
また、取付板２４の上端部にＬ型の二股形状の係止片２６が突設され、必要に応じて取付板２４を燃焼機器１の必要部分にナットやねじあるいはビス等の固定金具を用いて取り付けることができるように構成されている。
【００２６】
一方、図７に示すように、抑え板２５は、取付板２４の貫通部２９の左右両側に設けられているスリット孔２９ａの部分に挿通可能な一対の板状の二股部３０と、排水ホッパー２３に設けられている段差部２３ｅ周りの部分の外径と同等の内径を有する湾曲部３１を有する平面視Ｕ型形状をなし、前記二股部３０の先端下部側には取付板２４の下端部と嵌合するためのスリット部３２と爪部３０ａがそれぞれ形成されている。
スリット部３２は、抑え板２５の取付作業性を向上させることと、薄板である取付板２４と嵌合し固定する形状を製作可能とするため、内部側に段差部３２ａを有している。
具体的には、２ｍｍ幅の溝加工を１ｍｍの段差を設けて加工することにより、１ｍｍ未満の薄板と嵌合することが可能となる。このため、二股部３０の先端側を取付板２４のスリット孔２９ａに差し込み、段差部３２ａの部分に下部スリット２９ｃの下縁部分を挟むことで抑え板２５を取付板２４に係止することができ、これによって排水ホッパー２３を取付板２４に安定的に仮支持することができる。
【００２７】
図７に示す抑え板２５にあっては、二股部３０の高さが図６に示す取付板２４のスリット孔２９ａの高さと略等しく形成されている。これにより、二股部３０の先端側をスリット孔２９ａに挿通することができ、二股部３０のスリット部３２を取付板２４の下部スリット２９ｃと位置合わせしてから若干下方に押し込むことで段差部３２ａの隣接部分に下部スリット２９ｃの下縁部分を挟み込み、抑え板２５を取付板２４に安定的に係止することができる。
【００２８】
図８に本発明に係る第２実施形態である取付板の正面図と排水ホッパー２３の仮固定状態を示す。
第２実施形態の構造では、取付板２４の上部側に排水ホッパー２３の開口部２３ｇの周縁に係合する鉤形の突起部３３を設けた構成としている。これにより、抑え板２５を取り付ける前の状態で、前記係合片２７と突起部３３の２か所で排水ホッパー２３の上下部を支えることができ、取付板２４に排水ホッパー２３を仮固定することが可能となり、仮固定状態の安定性が高まることから、外部ドレン配管２０の施工作業性のさらなる向上につながる。
【００２９】
図９に本発明の第３実施形態である排水ホッパー４３と取付板４４の構造図を、図１０に第３実施形態の排水部材の組立図を示す。
第３実施形態の排水ホッパー４３も先の排水ホッパー２３と同様に異形ソケット部４３Ａ、直管部４３Ｂ、配管接続部４３Ｃからなり、異形ソケット部４３Ａは大径部４３ａと首部４３ｂと胴部４３ｄからなる。また、胴部４３ｄと配管接続部４３Ｃとの間には段差部４３ｅを有する周溝４３ｆが形成されている。
【００３０】
本実施形態の取付板４４においては、取付板４４の上部に設けられていて、排水ホッパー４３の上部側円筒（大径部４３ａ）の内側に係合する突起部３３Ａを、正面視凹形状の貫通部３４の形成により同時形成した構成を採用している。即ち、取付板４４の一部を切り抜いて凹形状の貫通部３４を形成することにより貫通部３４の内側に向いて突出する突起部３３Ａが形成されている。
貫通部３４の上下方向幅（高さ）Ｌ２は、排水ホッパー４３上部側の円筒径が大きい部分より大きく、左右方向幅（横幅）Ｌ３は、前記円筒径が大きい部分が取付板４４に対し干渉しない寸法としている。具体的には、円筒径が大きい部分の幅が上下方向約５０ｍｍに対し、凹形状の上下方向幅（高さ）：Ｌ２は約６０ｍｍ、左右方向幅：Ｌ３は３０ｍｍとすることができる。本実施形態の排水ホッパー４３においてその他の構造は先の実施形態の排水ホッパー２３と同等である。
【００３１】
以上の構造により、燃焼機器１の取付壁面との距離を変えることなく、配管接続部４３Ｃが回転可能であることや、仮固定可能である効果を先の実施形態と同様に維持しながら、大径部４３ａの円筒径をさらに大きくすることが出来、より多くの排水を受けることが可能となる。
具体的には、排水ホッパー４３下部の直管部４３Ｂの内径（φ１）がドレンホース１５の内径と同等の１３ｍｍに対し、排水ホッパー４３上部の大径部４３ａの内径（φ２）を４０ｍｍにすることができ、約３倍以上の径とすることが可能となる。
これにより、燃焼機器１の水抜きをする際に、給水水抜き栓２１や給湯水抜き栓２２へ接続する図１２に示す給水水抜きホース３５、給湯水抜きホース３６を設けることで排水ホッパー２３上部側の開口部に排水を導くことが出来、水抜き作業の軽減が図れる。
【００３２】
図１１に基づいて前記排水ホッパー４３を燃焼機器１に取付ける作業について以下に説明する。
前記取付板２４の係止片２６を燃焼機器１の配管接続部固定板１Ａにネジ止め固定し、取付板２４を鉛直に吊り下げる。次に、排水ホッパー４３の段差部４３ｅに対し、取付板２４に設けた係合片２７を嵌合させる。さらに、抑え板２５を取付板２４の下部貫通部２９に挿入し、二股部３０に設けたスリット部３２に取付板２４が嵌合するよう下方へスライドさせる。これにより、排水ホッパー４３をネジ止めすることなく取付板２４に取り付けることが可能となる。このとき、排水ホッパー４３に設けた段差部４３ｅと取付板２４に設けた係合片２７の嵌合や抑え板２５と排水ホッパー４３との嵌め合いは、すき間ばめとしており、取付板４４に取付後の排水ホッパー４３は円筒形状の軸を中心に回転することが可能となる。これにより、配管接続部４３Ｃにその後接続する外部ドレン配管２０の配管角度を調整する作業が排水ホッパー４３を取り外すことなく行えるため、施工作業性の向上につながる。
【００３３】
図１３に前記燃焼機器１を台所へ設置した場合の設置例を示す。
外部ドレン配管２０は、主に塩化ビニル製の配管を使用し、台所の壁等を伝って流し台のシンクなどの排水口まで下り勾配を保ちながら配管される。
外部ドレン配管２０の固定については、サドルや配管カバー３７を用いて壁Ｗに固定できる。排水ホッパー４３との接続部にはネジ加工された塩化ビニル配管や金属フレキシブル配管を使用することができる。
【符号の説明】
【００３４】
１…燃焼機器、２…給水配管接続部、３…水量センサ、４…給湯二次熱交換器、５…給湯一次熱交換器、６…給湯配管接続部、７…ガス配管接続部、８…給湯ガス電磁弁、９…給湯燃焼部、１０…排気口、１１…ドレン水、１２…ドレン配管、１３…中和剤、１４…中和容器、１５…ドレンホース、１６…本体外部給水配管、１７…本体外部給湯配管、１８…本体外部ガス配管、１９…給湯栓、２０…外部ドレン配管、２１…給水水抜き栓、２２…給湯水抜き栓、２３、４３…排水ホッパー、２３ａ、４３ａ…大径部、２３ｅ、４３ｅ…段差部、２３ｆ、４３ｆ…周溝、２４、４４…取付板、２５…抑え板、２６…係止片、２７…係合片、２７Ａ…起立片、２７ａ…凹部、２７Ｂ…先端片、２９…貫通部、２９ａ…スリット孔、３０…二股部、３１…湾曲部、３２…スリット部、３２ａ…爪部、３３…鉤部、３３Ａ…突起部、３４…貫通部、３５…給水水抜きホース、３６…給湯水抜きホース、３７…配管カバー。
【図１】
0006532155.tif 000002
【図２】
0006532155.tif 000003
【図３】
0006532155.tif 000004
【図４】
0006532155.tif 000005
【図５】
0006532155.tif 000006
【図６】
0006532155.tif 000007
【図７】
0006532155.tif 000008
【図８】
0006532155.tif 000009
【図９】
0006532155.tif 000010
【図１０】
0006532155.tif 000011
【図１１】
0006532155.tif 000012
【図１２】
0006532155.tif 000013
【図１３】
0006532155.tif 000014